(57)【要約】【課題】従来の電源装置は、突入防止回路の動作状況を間接的にしか監視できず、補助接点及び前記制御部が正常でもリレー接点に動作不良が発生した場合の異常を検出できない。【解決手段】本発明による電源装置は、制限抵抗３０を流れる電流３０ａによって発生する磁界３０ｂをホール素子７によって検出し、コンデンサ４の充電時に前記ホール素子７によって前記磁界３０ｂが非検出の場合、及び前記コンデンサ４の定常時に前記ホール素子７によって前記磁界３０ｂが検出された場合に異常検出回路６が突入防止回路３の異常を検出する構成である。【選択図】図１
2008206364.tif 000002
【特許請求の範囲】
【請求項１】
交流電源（１）に接続された整流回路（２）と、
前記整流回路（２）で整流された電力によって充電されるコンデンサ（４）と、
前記整流回路（２）と前記コンデンサ（４）との間に介在された制限抵抗（３０）、及び前記制限抵抗（３０）に並列に接続されたリレー接点（３１）からなる突入防止回路（３）と、
前記コンデンサ（４）の充電時に前記リレー接点（３１）を開成することで前記制限抵抗（３０）に電流（３０ａ）を流すとともに、前記コンデンサ（４）の定常時に前記リレー接点（３１）を閉成することで前記制限抵抗（３０）を短絡する制御回路（５）と、
前記制限抵抗（３０）を流れる電流（３０ａ）によって発生する磁界（３０ｂ）を検出するホール素子（７）と、
前記コンデンサ（４）の充電時に前記ホール素子（７）によって前記磁界（３０ｂ）が非検出の場合、及び前記コンデンサ（４）の定常時に前記ホール素子（７）によって前記磁界（３０ｂ）が検出された場合に、前記突入防止回路（３）の異常を検出する異常検出回路（６）と
を備えていることを特徴とする電源装置。
【発明の詳細な説明】
【技術分野】
【０００１】
本発明は、例えば大型アルミ電解コンデンサ等のコンデンサを充電し、このコンデンサの電力を出力する電源装置に関し、特に、制限抵抗を流れる電流によって発生する磁界をホール素子によって検出し、前記コンデンサの充電状態と前記磁界の検出状態とに基づいて突入防止回路の異常の有無を検出することで、安価かつ簡単に突入防止回路の異常をより確実に検出できる新規な改良に関するものである。
【背景技術】
【０００２】
社内技術で特に特許出願を行っていないため文献名は挙げていないが、従来用いられていたこの種の電源装置は、図２に示すように構成されている。図２は、従来の電源装置を示す回路図である。図において、交流電源１にはこの交流電源１の電力を全波整流する整流回路２が接続されており、この整流回路２には突入防止回路３を介してコンデンサ４が接続されている。前記突入防止回路３は、前記整流回路２と前記コンデンサ４との間に介在された制限抵抗３０と、この制限抵抗３０に並列に接続されたリレー接点３１とから構成されており、このリレー接点３１には、制御回路５が接続されている。この制御回路５は、前記リレー接点３１と連動する補助接点５０と、前記コンデンサ４の端子間電圧を監視するとともに前記補助接点５０を介して前記リレー接点３１の開閉を制御する制御部５１とから構成されている。また、この制御回路５には、前記突入防止回路３の異常の有無を検出する異常検出回路６が接続されている。
【０００３】
次に、動作について説明する。前記コンデンサ４は前記整流回路２で整流された電力で充電される。前記制御部５１は、前記コンデンサ４の端子間電圧が所定値未満である場合に充電時動作として、補助接点５０に制御指令５１ａを入力して前記補助接点５０及び前記リレー接点３１を開成させ、前記制限抵抗３０に電流３０ａを流すことで前記コンデンサ４への突入電流を抑制する。また、前記制御部５１は、前記コンデンサ４の端子間電圧が所定値以上である場合に定常時動作として、前記補助接点５０及び前記リレー接点３１を閉成して前記制限抵抗３０を短絡することで、前記制限抵抗３０の発熱及び制限抵抗３０での電圧降下を防ぐ。
【０００４】
前記異常検出回路６は、前記コンデンサ４の端子間電圧、前記補助接点５０からの開閉状態信号５０ａ、及び前記制御部５１からの前記制御指令５１ａに基づいて、前記突入防止回路３の異常の有無を検出する。すなわち、異常検出回路６は、前記コンデンサ４の充電時に前記補助接点５０が閉成されたままの場合に、前記突入防止回路３の異常を検出し、コンデンサ４への突入電流の流入を防ぐ。また、異常検出回路６は、前記コンデンサ４の定常時に前記補助接点５０が開成されたままの場合に、前記突入防止回路３の異常を検出し、前記制限抵抗３０に電流３０ａが流れ続けることによる焼損及び電圧低下を防ぐ。
【発明の開示】
【発明が解決しようとする課題】
【０００５】
上記のような従来の電源装置では、前記異常検出回路６は、前記制御指令５１ａ及び前記開閉状態信号５０ａに基づいて前記突入防止回路３の異常の有無を検出するので、前記突入防止回路３の動作状況を間接的にしか監視できず、前記補助接点５０及び前記制御部５１が正常でも前記リレー接点３１に動作不良が発生した場合の異常を検出できない。
【０００６】
本発明は、上記のような課題を解決するためになされたものであり、その目的は、安価かつ簡単に突入防止回路の異常をより確実に検出できる新規な改良に関するものである。
【課題を解決するための手段】
【０００７】
本発明に係る電源装置は、交流電源に接続された整流回路と、前記整流回路で整流された電力によって充電されるコンデンサと、前記整流回路と前記コンデンサとの間に介在された制限抵抗、及び前記制限抵抗に並列に接続されたリレー接点からなる突入防止回路と、前記コンデンサの充電時に前記リレー接点を開成することで前記制限抵抗に電流を流すとともに、前記コンデンサの定常時に前記リレー接点を閉成することで前記制限抵抗を短絡する制御回路と、前記制限抵抗を流れる電流によって発生する磁界を検出するホール素子と、前記コンデンサの充電時に前記ホール素子によって前記磁界が非検出の場合、及び前記コンデンサの定常時に前記ホール素子によって前記磁界が検出された場合に、前記突入防止回路の異常を検出する異常検出回路とを備える構成である。
【発明の効果】
【０００８】
本発明の電源装置によれば、ホール素子は、制限抵抗を流れる電流によって発生する磁界を検出し、異常検出回路は、前記コンデンサの充電時に前記ホール素子によって前記磁界が非検出の場合、及び前記コンデンサの定常時に前記ホール素子によって前記磁界が検出された場合に前記突入防止回路の異常を検出するので、直接的に前記突入防止回路３の動作状況を監視でき、安価かつ簡単に前記突入防止回路の異常をより確実に検出できる。また、ホール素子を利用することにより非接触で突入防止回路の動作状況を監視でき、従来の突入防止回路をそのまま利用できる。
【発明を実施するための最良の形態】
【０００９】
以下、本発明を実施するための最良の形態について、図面を参照して説明する。
実施の形態１．
図１は、本発明の実施の形態１による電源装置を示す回路図である。なお、従来装置と同一又は同等部分については同一の符号を用いて説明する。図において、交流電源１にはこの交流電源１の電力を全波整流する整流回路２が接続されており、この整流回路２には突入防止回路３を介してコンデンサ４が接続されている。前記突入防止回路３は、前記整流回路２と前記コンデンサ４との間に介在された制限抵抗３０と、この制限抵抗３０に並列に接続されたリレー接点３１とから構成されており、このリレー接点３１には、制御回路５が接続されている。この制御回路５は、前記リレー接点３１と連動する補助接点５０と、前記コンデンサ４の端子間電圧を監視するとともに前記補助接点５０を介して前記リレー接点３１の開閉を制御する制御部５１とから構成されている。
【００１０】
前記突入防止回路３の近傍には、前記制限抵抗３０を流れる電流３０ａによって発生する磁界３０ｂを検出するホール素子７が配置されており、異常検出回路６は前記コンデンサ４の端子間電圧とホール素子７の出力とに基づいて前記突入防止回路３の異常の有無を検出する。
【００１１】
次に、動作について説明する。前記コンデンサ４は前記整流回路２で整流された電力で充電される。前記制御部５１は、前記コンデンサ４の端子間電圧が所定値未満である場合に充電時動作として、補助接点５０に制御指令５１ａを入力して前記補助接点５０及び前記リレー接点３１を開成させ、前記制限抵抗３０に電流３０ａを流すことで前記コンデンサ４への突入電流を抑制する。また、前記制御部５１は、前記コンデンサ４の端子間電圧が所定値以上である場合に定常時動作として、前記補助接点５０及び前記リレー接点３１を閉成して前記制限抵抗３０を短絡することで、前記制限抵抗３０の発熱及び制限抵抗３０での電圧降下を防ぐ。
【００１２】
前記異常検出回路６は、前記制御部５１からの制御指令５１ａに基づいて前記コンデンサ４の充電及び放電を検出する。また、前記異常検出回路６は、前記コンデンサ４の充電時に前記ホール素子７によって前記磁界３０ｂが非検出の場合に、前記突入防止回路３の異常を検出し、コンデンサ４への突入電流の流入を防ぐ。さらに、異常検出回路６は、前記コンデンサ４の定常時に前記ホール素子７によって前記磁界３０ｂが検出された場合に、前記突入防止回路３の異常を検出し、前記制限抵抗３０に電流３０ａが流れ続けることによる焼損及び電圧低下を防ぐ。すなわち、異常検出回路６は、突入防止回路３の動作状況を直接的に監視して、突入防止回路３の異常の有無を検出できる。
【図面の簡単な説明】
【００１３】
【図１】本発明の実施の形態１による電源装置を示す回路図である。
【図２】従来の電源装置を示す回路図である。
【符号の説明】
【００１４】
１  交流電源、２  整流回路、３  突入防止回路、４  コンデンサ、５  制御回路、６  異常検出回路、７  ホール素子、３０  制限抵抗、３０ａ  電流、３０ｂ  磁界、３１  リレー接点。
【図１】
2008206364.tif 000003
【図２】
2008206364.tif 000004